(57)【要約】      （修正有）【課題】飲料の表面に文字や図柄を描く技術が未熟な者であっても、飲料の表面に所望する態様の文字や図柄を容易に形成できる飲料装飾器具を提供する。【解決手段】飲料装飾器具１は、カップ１００内の飲料１１０の表面を食用の粉体２００により装飾し、カップ１００の上に載置され、透明な素材で形成された板状体１０であり、文字又は図柄形状に形成された貫通孔１１を有し、カップ１００の上に載置された状態で、上方から粉体２００が振りかけられることで、粉体２００が、貫通孔１１を通過し、カップ１００内の飲料の表面において文字又は図柄形状を形成する。【選択図】図１
0003217113.tif 000002
【実用新案登録請求の範囲】
【請求項１】
カップ内の飲料の表面を食用の粉体により装飾する飲料装飾器具であって、
前記カップの上に載置され、透明な素材で形成された板状体であり、文字又は図柄形状に形成された貫通孔を有し、
前記カップの上に載置された状態で、上方から前記粉体が振りかけられることで、前記粉体が、前記貫通孔を通過し、前記カップ内の飲料の表面において文字又は図柄形状を形成する飲料装飾器具。
【請求項２】
長方形形状のパーツ用開口部を有する基盤と、
一辺の幅が前記パーツ用開口部の短辺方向の幅と略同一であり、前記貫通孔が形成された複数種類の装飾パーツと、
一辺の幅が前記パーツ用開口部の短辺方向の幅と略同一であり、前記貫通孔が形成されていない無地パーツと、を備え、
前記基盤には、前記パーツ用開口部の周縁に沿って、前記装飾パーツ又は前記無地パーツの側縁と係合する係合部が形成され、
前記パーツ用開口部には、複数種類の前記装飾パーツ又は前記無地パーツを配列可能である請求項１に記載の飲料装飾器具。
【請求項３】
複数の文字からなる文字列形状に形成された前記貫通孔を有する文言プレートと、
前記貫通孔が形成されていない無地プレートと、を更に備え、
前記基盤は、前記文言プレート又は前記無地プレートにより覆われるプレート用開口部を、更に有する請求項２に記載の飲料装飾器具。
【考案の詳細な説明】
【技術分野】
【０００１】
本考案は、飲料装飾器具に関し、詳しくは、カップ内の飲料の表面を食用の粉体により装飾する飲料装飾器具に関する。
【背景技術】
【０００２】
従来、カップ内の飲料の表面を食用の粉体を振りかけ、この粉体により飲料の表面に文字や図柄を描く器具が知られている。このような器具として、パウダーを収容するパウダー容器と、パウダー容器の底部に設けられたステンシルと、ステンシルの中央を通る鉛直軸線から径方向にアーム状に延びかつステンシルの上面に沿って摺動しながら回転自在に構成され、トッピング時に回転駆動されることにより、パウダー容器内のパウダーをステンシルの下方に払い出す羽根本体と、を備え、羽根本体は、その回転に伴い、パウダーをステンシルの中央側に送り出すための傾斜羽根部を有しているパウダートッピング装置が提案されている（特許文献１）。このパウダートッピング装置によれば、羽根本体を回転させることで、パウダー容器内のパウダーをステンシルの中央側に送り出しながら、ステンシルの下方に払い出すことができる。
【先行技術文献】
【特許文献】
【０００３】
【特許文献１】特開２０１５−４３８１５号公報
【考案の概要】
【考案が解決しようとする課題】
【０００４】
しかしながら、特許文献１のパウダートッピング装置は、使用時において、使用者が一方の手でパウダー容器を把持し、他方の手で羽根本体を回転させることで、パウダー容器内のパウダーをステンシルの中央側に送り出しながら、ステンシルの下方に払い出す。このため、この動作に慣れていない使用者は、他方の手で羽根本体を回転させときに、一方の手で把持したパウダー容器が動いてしまう場合がある。この場合、パウダーにより文字や図柄を飲料の表面に描くためのステンシルも動いてしまい、結果として、飲料の表面に描かれた文字や図柄がぶれてしまい、使用者が所望する態様に仕上がらない場合があった。
【０００５】
また、例えば、特許文献１のパウダートッピング装置は、カップの上に配置した場合、カップ内の様子が視認できないので、飲料の表面に文字や図柄を描いている作業中に、飲料の表面に描かれた文字や図柄の状態が視認できない。このため、使用者が完成したと思いパウダートッピング装置を取り外してみたら、未完であったり、所望する態様でなかったりする場合があった。
【０００６】
本考案は、飲料の表面に文字や図柄を描く技術が未熟な者であっても、飲料の表面に所望する態様の文字や図柄を容易に形成できる飲料装飾器具を提供することを目的とする。
【課題を解決するための手段】
【０００７】
（１）カップ内の飲料の表面を食用の粉体により装飾する飲料装飾器具であって、前記カップの上に載置され、透明な素材で形成された板状体であり、文字又は図柄形状に形成された貫通孔を有し、前記カップの上に載置された状態で、上方から前記粉体が振りかけられることで、前記粉体が、前記貫通孔を通過し、前記カップ内の飲料の表面において文字又は図柄形状を形成する飲料装飾器具。
【０００８】
（１）の考案によれば、カップ内の飲料の表面を食用の粉体により装飾する飲料装飾器具は、カップの上に載置され、透明な素材で形成された板状体である。また、飲料装飾器具は、文字又は図柄形状に形成された貫通孔を有する。そして、飲料装飾器具は、カップの上に載置された状態で、上方から粉体が振りかけられることで、粉体が、貫通孔を通過し、カップ内の飲料の表面において文字又は図柄形状を形成する。
【０００９】
これにより、使用者は、以下の手順で、食用の粉体で、カップ内の飲料の表面に文字又は図柄形状を描く。まず、使用者は、カップの上に飲料装飾器具を載置する。このとき、飲料装飾器具は、透明な素材で形成されているので、使用者は、カップ内の飲料の表面に対する、文字又は図柄形状に形成された貫通孔の位置の微妙な調整が可能となる。次に、使用者は、飲料装飾器具から手を離し、文字又は図柄形状に形成された貫通孔の上から粉体を振りかける。これにより、粉体が、貫通孔を通過し、カップ内の飲料の表面において文字又は図柄形状を形成する。このとき、使用者は、粉体を、所定位置においてカップ内の飲料の表面に落下させる貫通孔を有する飲料装飾器具に触っていないので、飲料装飾器具がぶれてしまい、粉体により形成された文字又は図柄形状が崩れてしまうのを防止できる。したがって、飲料の表面に文字や図柄を描く技術が未熟な者であっても、飲料の表面に所望する態様の文字や図柄を容易に形成できる飲料装飾器具を提供できる。
【００１０】
（２）長方形形状のパーツ用開口部を有する基盤と、一辺の幅が前記パーツ用開口部の短辺方向の幅と略同一であり、前記貫通孔が形成された複数種類の装飾パーツと、一辺の幅が前記パーツ用開口部の短辺方向の幅と略同一であり、前記貫通孔が形成されていない無地パーツと、を備え、前記基盤には、前記パーツ用開口部の周縁に沿って、前記装飾パーツ又は前記無地パーツの側縁と係合する係合部が形成され、前記パーツ用開口部には、複数種類の前記装飾パーツ又は前記無地パーツを配列可能である（１）に記載の飲料装飾器具。
【００１１】
（２）の考案によれば、飲料装飾器具は、基盤と、複数種類の装飾パーツと、無地パーツと、を備える。基盤は、長方形形状のパーツ用開口部を有し、パーツ用開口部の周縁に沿って、装飾パーツ又は無地パーツの側縁と係合する係合部が形成されている。装飾パーツは、一辺の幅がパーツ用開口部の短辺方向の幅と略同一であり、文字又は図柄形状に形成された貫通孔が形成されている。無地パーツは、一辺の幅が前記パーツ用開口部の短辺方向の幅と略同一であり、文字又は図柄形状に形成された貫通孔が形成されていない。そして、パーツ用開口部には、複数種類の装飾パーツ又は無地パーツを配列可能である。
【００１２】
ここで、粉体によりカップ内の飲料の表面に形成する文字又は図柄は、飲料を提供する場所、状況、飲料の提供を受ける者に合った形状にしたい場合がある。（２）の考案によれば、基盤のパーツ用開口部に、文字又は図柄形状に形成された貫通孔が形成された複数の装飾パーツを配列させて、飲料を提供する場所等に合った所定の意味を持つ文字列（例えば、飲料等を提供する店名等）を形成する。そして、配列させた複数の装飾パーツの貫通孔の上から粉体を振りかけることで、所定の意味を持つ文字列等を、粉体によりカップ内の飲料の表面に形成できる。また、別の意味を持つ文字列等に変更したい場合は、基盤のパーツ用開口部に配列した複数の装飾パーツを取り外し、パーツ用開口部に、当該別の意味を持つ文字列等を複数の装飾パーツを配列させて形成する。そして、貫通孔の上から粉体を振りかけることで、当該別の意味を持つ文字列等を、粉体によりカップ内の飲料の表面に形成できる。
【００１３】
また、複数の装飾パーツを配列する場合、個々の装飾パーツが整列していないと、粉体によりカップ内の飲料の表面に形成された文字列の各文字の向きや位置が乱れてしまう。（２）の考案によれば、装飾パーツ及び無地パーツを一辺の幅がパーツ用開口部の短辺方向の幅と略同一に形成し、基盤のパーツ用開口部の周縁に沿って、装飾パーツ又は無地パーツの側縁と係合する係合部を形成したので、複数の装飾パーツを整列して配列できるので、カップ内の飲料の表面に形成された文字列の各文字の向きや位置が乱れてしまうのを防止できる。
【００１４】
また、例えば、複数の単語からなる所定の意味をなす文字列を形成する場合、単語と単語との間にスペースを設けたい場合がある。（２）の考案によれば、文字又は図柄形状に形成された貫通孔が形成されていない無地パーツを備えたので、複数の装飾パーツにより複数の単語を形成し、単語と単語との間に無地パーツを配置することで、複数の単語からなる所定の意味をなす文字列を容易に形成することができる。
【００１５】
（３）複数の文字からなる文字列形状に形成された前記貫通孔を有する文言プレートと、前記貫通孔が形成されていない無地プレートと、を更に備え、前記基盤は、前記文言プレート又は前記無地プレートにより覆われるプレート用開口部を、更に有する（２）に記載の飲料装飾器具。
【００１６】
（３）の考案によれば、飲料装飾器具は、文言プレートと、無地プレートと、を更に備える。文言プレートは、複数の文字からなる文字列形状に形成された貫通孔を有する。無地プレートは、貫通孔が形成されていない。そして、基盤は、文言プレート又は無地プレートにより覆われるプレート用開口部を、更に有する。
【００１７】
これにより、使用者は、例えば、複数の文字からなる汎用性を有する意味の文字列（例えば、「Ｗｅｌｃｏｍｅ」等の単語）形状に形成された貫通孔を有する文言プレートと、任意の意味をなす文字列（例えば、飲料の提供を受ける者の名前等）等を形成可能な装飾パーツや無地パーツと、を組み合わせることで、粉体によりカップ内の飲料の表面に形成する表現の幅を拡張できる。
【００１８】
また、無地プレートで、基盤のプレート用開口部を覆うことで、プレート用開口部を未使用とし、基盤のパーツ用開口部と複数種類の装飾パーツ又は無地パーツとによってのみ、粉体によりカップ内の飲料の表面に形成することもできる。これにより、飲料装飾器具の使用態様を多様化することができる。
【考案の効果】
【００１９】
本考案によれば、飲料の表面に文字や図柄を描く技術が未熟な者であっても、飲料の表面に所望する態様の文字や図柄を容易に形成できる飲料装飾器具を提供できる。
【図面の簡単な説明】
【００２０】
【図１】本考案の第１実施形態に係る飲料装飾器具１が使用されている状態を示す斜視図である。
【図２】図１に示す前記第１実施形態に係る飲料装飾器具１の使用により、カップ１００内の飲料１１０の表面に形成された食用の粉体２００の装飾２１０を示す図である。
【図３】本考案の第２実施形態に係る飲料装飾器具２を上面から視た図である。
【図４】図３に示す飲料装飾器具２を分解した状態を示す図である。
【図５】図４に示す飲料装飾器具２の基盤２０のＡＡ’断面図である。
【考案を実施するための形態】
【００２１】
本考案の実施形態に係る飲料装飾器具１について説明する。なお、以下の説明において、同一の構成には同一の符号を付し、その説明を省略又は簡略化する。本考案の実施形態に係る飲料装飾器具１の構成を図面に基づいて説明する。
［第１実施形態］
図１は、本考案の第１実施形態に係る飲料装飾器具１が使用されている状態を示す斜視図である。
図２は、図１に示す前記第１実施形態に係る飲料装飾器具１の使用により、カップ１００内の飲料１１０の表面に形成された食用の粉体２００の装飾２１０を示す図である。
【００２２】
飲料装飾器具１は、カップ１００内の飲料１１０の表面を食用の粉体２００により装飾２１０を形成する器具である。飲料装飾器具１は、カップ１００の上に載置され、透明な素材で形成された板状体１０に、文字又は図柄形状（図１に示す例では「Ｉ、ハート形の図柄、Ｙ、Ｏ、Ｕ」）に形成された貫通孔１１を有する。
【００２３】
また、貫通孔１１は、図１に示すように、複数の文字又は図柄形状の組み合わせたものでもよいし、１つの文字又は図柄形状であってもよい。
【００２４】
また、板状体１０の表面には、貫通孔１１を囲い、カップ１００の上端と係合する溝を形成してもよい。これにより、カップ１００の上に板状体１０を載置したとき、貫通孔１１の位置合わせが容易となる。この溝は、上端の径や形状が異なるカップ１００の種類（例えば、コーヒーカップ、紅茶用カップ、上端の形状が円形のカップ、上端の形状が四角形のカップ等）に応じた形状のものを、複数設けてもよい。
【００２５】
また、板状体１０は、透明な素材で形成されていれば、有色であってもよい。この場合、例えば、板状体１０を、貫通孔１１の形状毎に異なる色で形成してもよい。これにより、使用者は、貫通孔１１の形状が互いに異なる板状体１０が複数重ねてある状態から、所望の形状の貫通孔１１が形成された板状体１０を選び出す場合、板状体１０の色によって、所望の形状の貫通孔１１が形成された板状体１０を識別し、速やかに取り出すことができる。
【００２６】
第１実施形態の飲料装飾器具１を使用する使用者は、図１に示すように、カップ１００の上に飲料装飾器具１の板状体１０を載置する。このとき、板状体１０は、透明な素材で形成されているので、使用者は、カップ１００内の飲料１１０の表面に対する、文字又は図柄形状に形成された貫通孔１１の位置の微妙な調整が可能となる。
【００２７】
次に、使用者は、飲料装飾器具１から手を離し、文字又は図柄形状に形成された貫通孔１１の上から粉体２００を振りかける。これにより、粉体２００が、貫通孔１１を通過し、カップ１００内の飲料１１０の表面において文字又は図柄形状を形成し、図２に示す状態となる。このとき、使用者は、粉体２００を、所定位置においてカップ１００内の飲料１１０の表面に落下させる貫通孔１１を有する板状体１０に触っていないので、板状体１０がぶれてしまい、粉体２００により形成された文字又は図柄形状の装飾２１０が崩れてしまうのを防止できる。したがって、飲料の表面に文字や図柄を描く技術が未熟な者であっても、飲料の表面に所望する態様の文字や図柄を容易に形成できる飲料装飾器具を提供できる。
【００２８】
［第２実施形態］
次に、本考案の第２実施形態に係る飲料装飾器具２について説明する。第２実施形態の飲料装飾器具２は、第１実施形態の飲料装飾器具１とは、主に、文字又は図柄形状に形成された貫通孔を有する複数の装飾パーツを組み替え可能である点が異なる。図３は、本考案の第２実施形態に係る飲料装飾器具２を上面から視た図である。図４は、図３に示す飲料装飾器具２を分解した状態を示す図である。図５は、図４に示す飲料装飾器具２の基盤２０のＡＡ’断面図である。飲料装飾器具２は、基盤２０と、複数種類の装飾パーツ３０と、無地パーツ４０と、文言プレート５０と、無地プレート６０と、を備える。
【００２９】
図５に示すように、基盤２０は、複数種類の装飾パーツ３０又は無地パーツ４０を配列可能な長方形形状のパーツ用開口部２１を有し、パーツ用開口部２１の周縁に沿って、装飾パーツ３０又は無地パーツ４０（図３参照）の側縁と係合する係合部２２が形成されている。
【００３０】
また、基盤２０は、文言プレート５０又は無地プレート６０（図３参照）により覆われるプレート用開口部２３を有し、プレート用開口部２３の周縁に沿って、文言プレート５０又は無地プレート６０（図３参照）の側縁と係合する係合部２４が形成されている。
【００３１】
図３に示すように、パーツ用開口部２１とプレート用開口部２３とは、互いに長辺方向に沿って平行に配置されている。これにより、パーツ用開口部２１に配置される装飾パーツ３０又は無地パーツ４０と、プレート用開口部２３に配置される文言プレート５０又は無地プレート６０との互いの位置のバランスを取り易くなる。
【００３２】
なお、基盤２０は、プレート用開口部２３の周縁に係合部２４が形成されていなくともよい。この場合、例えば、文言プレート５０の配置を、任意の角度に調整し易くなり、粉体２００（図１参照）によりカップ１００（図１参照）内の飲料１１０（図１参照）の表面に形成する装飾２１０（図２参照）の表現の幅を拡張できる。
【００３３】
また、基盤２０の係合部２２及び係合部２４が形成された面の裏面には、パーツ用開口部２１及び／又はプレート用開口部２３を囲い、カップ１００の上端と係合する溝を形成してもよい。これにより、カップ１００の上に基盤２０を載置したとき、パーツ用開口部２１及び／又はプレート用開口部２３の位置合わせが容易となる。この溝は、上端の径や形状が異なるカップ１００の種類（例えば、コーヒーカップ、紅茶用カップ、上端の形状が円形のカップ、上端の形状が四角形のカップ等）に応じた形状のものを、複数設けてもよい。また、この溝は、パーツ用開口部２１及びプレート用開口部２３を囲うものと、パーツ用開口部２１のみを囲うものと、プレート用開口部２３のみを囲うものと、を夫々設けてもよい。
【００３４】
図５に示すように、装飾パーツ３０は、一辺（例えば、当該装飾パーツ３０の貫通孔３１の形状が文字の場合に、この文字の上下方向となる辺）の幅がパーツ用開口部２１の短辺方向の幅と略同一であり、文字又は図柄形状に形成された貫通孔３１が形成されている。また、図３に示すように、装飾パーツ３０の貫通孔３１の形状は、文字（「ａ」〜「ｚ」のアルファベット、ひらがな、漢字）、記号等の多様な形状にすることができる。また、複数の装飾パーツ３０は、それぞれ上記一辺（例えば、当該装飾パーツ３０の貫通孔３１の形状が文字の場合に、この文字の上下方向となる辺）と直交する方向の幅が同一に形成されている。これにより、装飾パーツ３０の貫通孔３１の形状が文字の場合に、文字間の幅を統一できる。
【００３５】
無地パーツ４０は、一辺の幅がパーツ用開口部２１の短辺方向の幅と略同一であり、図３に示すように、文字又は図柄形状に形成された貫通孔が形成されていない。また、無地パーツ４０の幅は、任意の幅とすることができるが、装飾パーツ３０の幅と同一又は装飾パーツ３０の幅の整数倍であることが望ましい。これにより、基盤２０のプレート用開口部２３の長辺方向の幅を、装飾パーツ３０の幅の整数倍とすることで、装飾パーツ３０及び無地パーツ４０により、完全に覆うことができる。また、無地パーツ４０の幅は、パーツ用開口部２１の長辺方向の幅と略同一としてもよい。この場合、無地パーツ４０により、パーツ用開口部２１を塞ぐことができるので、基盤２０のプレート用開口部２３と文言プレート５０とによってのみ、粉体２００によりカップ１００内の飲料１１０の表面に装飾２１０を形成することもできる。これにより、飲料装飾器具２の使用態様を多様化することができる。
【００３６】
また、装飾パーツ３０及び無地パーツ４０は、透明な素材で形成されていれば、有色（例えば、蛍光色等の飲料や食器の色調と異なる色）であってもよい。これにより、例えば、装飾パーツ３０及び無地パーツ４０を、誤って飲料や食器の上に落としたとしても、一目で発見できるので、事故や紛失を防止することができる。
【００３７】
使用者は、図４に示すように、このような多様な形状の貫通孔３１が形成された装飾パーツ３０や無地パーツ４０を組み合わせて、基盤２０のパーツ用開口部２１に配列して、所定の意味（例えば、飲料等を提供する店名、名前、言葉等）を持つ文字列（単語、複数の単語を組み合わせた文）を形成することができる。
【００３８】
図５に示すように、文言プレート５０は、その外形がプレート用開口部２３の内形と略同一であり、複数の文字からなる文字列形状又は図柄形状（例えば、図３に示す例では「Ｗｅｌｃｏｍｅ」の単語）に形成された貫通孔５１が形成されている。無地プレート６０（図３参照）は、その外形がプレート用開口部２３の内形と略同一であり、貫通孔５１が形成されていない。なお、文言プレート５０及び無地プレート６０は、プレート用開口部２３の周縁に係合部２４を形成しない場合には、一辺の幅をプレート用開口部２３の短辺方向の幅より大きい寸法で形成することが望まし。
【００３９】
第２実施形態の飲料装飾器具２を使用する使用者は、基盤２０のパーツ用開口部２１に、文字又は図柄形状に形成された貫通孔３１が形成された複数の装飾パーツ３０を配列させて、飲料を提供する場所、状況、飲料の提供を受ける者等に合った所定の意味を持つ文字列（例えば、飲料等を提供する店名等）を形成する。そして、貫通孔３１の上から粉体２００を振りかけることで、装飾２１０である所定の意味を持つ文字列等を、粉体２００によりカップ１００内の飲料１１０の表面に形成できる。
【００４０】
また、別の意味を持つ文字列等に変更したい場合は、基盤２０のパーツ用開口部２１に配列した複数の装飾パーツ３０を取り外し、パーツ用開口部２１に、複数の装飾パーツ３０を配列させて、当該別の意味を持つ文字列等を形成する。そして、貫通孔３１の上から粉体２００を振りかけることで、装飾２１０である当該別の意味を持つ文字列等を、粉体２００によりカップ１００内の飲料１１０の表面に形成できる。
【００４１】
飲料装飾器具２によれば、装飾パーツ３０及び無地パーツ４０を一辺の幅がパーツ用開口部２１の短辺方向の幅と略同一に形成し、基盤２０のパーツ用開口部２１の周縁に沿って、装飾パーツ３０又は無地パーツ４０の側縁と係合する係合部２２を形成したので、複数の装飾パーツ３０を整列して配列できるので、カップ１００内の飲料１１０の表面に形成された装飾２１０である文字列の各文字の向きや位置が乱れてしまうのを防止できる。
【００４２】
また、使用者は、例えば、複数の単語からなる所定の意味をなす文字列を形成する場合、単語と単語との間にスペースを設けたい場合、複数の装飾パーツ３０により複数の単語を形成し、単語と単語との間に無地パーツ４０を配置することで、複数の単語からなる所定の意味をなす文字列を容易に形成することができる。
【００４３】
また、飲料装飾器具２によれば、使用者は、例えば、複数の文字からなる汎用性を有する意味の文字列（例えば、図３に示す例では「Ｗｅｌｃｏｍｅ」の単語）形状に形成された貫通孔５１を有する文言プレート５０と、任意の意味をなす文字列（例えば、飲料の提供を受ける者の名前等）等を形成可能な装飾パーツ３０や無地パーツ４０と、を組み合わせることで、粉体２００によりカップ１００内の飲料１１０の表面に形成する装飾２１０の表現の幅を拡張できる。
【００４４】
また、無地プレート６０で、基盤２０のプレート用開口部２３を覆うことで、プレート用開口部２３を未使用とし、基盤２０のパーツ用開口部２１と複数種類の装飾パーツ３０又は無地パーツ４０とによってのみ、粉体２００によりカップ１００内の飲料１１０の表面に装飾２１０を形成することもできる。これにより、飲料装飾器具２の使用態様を多様化することができる。
【００４５】
なお、本考案は前記実施形態に限定されるものではなく、本考案の目的を達成できる範囲での変形、改良等は本考案に含まれるものである。
【符号の説明】
【００４６】
１、２  飲料装飾器具
１０  板状体
１１  貫通孔
２０  基盤
２１  パーツ用開口部
２２  係合部
２３  プレート用開口部
２４  係合部
３０  装飾パーツ
３１  貫通孔
４０  無地パーツ
５０  文言プレート
５１  貫通孔
６０  無地プレート
１００  カップ
１１０  飲料
２００  粉体
２１０  装飾
【図１】
0003217113.tif 000003
【図２】
0003217113.tif 000004
【図３】
0003217113.tif 000005
【図４】
0003217113.tif 000006
【図５】
0003217113.tif 000007